【事件の表示】
　特許第２５４６７７３号「住宅用布基礎施工方法」の請求項１ないし２に係る特許に対する特許異議の申立てについて、次のとおり決定する。
【結　論】
　訂正を認める。
　特許第２５４６７７３号の請求項１ないし２に係る特許を維持する。
【理　由】
１. 手続きの経緯
　本件特許第２５４６７７３号に係る発明は、平成５年５月２１日に出願され、平成８年８月８日に特許の設定登録がされ、その後、平成９年４月２３日に鐘淵化学工業株式会社より、特許異議の申立てがなされ、次いで、取消理由通知がなされ、その指定期間内である平成１０年８月１１日に訂正請求がなされたものである。
　　
２．訂正請求について
２−１．請求の趣旨及び訂正事項
　訂正請求の趣旨は、特許第２５４６７７３号の明細書を訂正請求書に添付した訂正明細書のとおり訂正することを求めるものであり、その訂正事項は、以下の訂正事項ａ〜訂正事項ｌのとおりのものである。
　　　　
　訂正事項a
　特許明細書の特許請求の範囲の請求項１を、
「根切り部に型枠を用いて基礎コンクリートを打設する住宅用布基礎施工方法において、
  根切り部にベース筋を取付け、断熱性を有する発泡性の合成樹脂にて形成した型枠パネルのうち一側のみを当該根切り部に取付け、上記ベース筋に立上り筋を取付けた後、他側の型枠パネルを取付けて、下部を幅広状に対向させた型枠パネルを固定金具を用いて立設固定してなり、
　次に上記根切り部内において両型枠パネルの両側に盛土残土を埋戻してこれら対向型枠パネルの下部を埋設させてなり、次いで型枠パネルによって形成された空間部内にコンクリート打設を行い、  
　この型枠パネルを除去することなく布基礎の一部とし断熱保護材として用いるとともに、上記根切り部内の固定金具を除去することなく布基礎の一部として用いてなることを特徴とする住宅用布基礎施工方法。」と訂正する。
　訂正事項ｂ
　特許明細書の段落番号【０００６】の「型枠パネルを断熱性を有する発泡性の合成樹脂にて形成し、上記型枠パネルを対状にして下部を幅広状に対向させて根切り部に取付けてなり、上記対向状の型枠パネルを固定金具を用いて立設固定してなり」を、
「根切り部にベース筋を取付け、断熱性を有する発泡性の合成樹脂にて形成した型枠パネルのうち一側のみを当該根切り部に取付け、上記ベース筋に立上り筋を取付けた後、他側の型枠パネルを取付けて、下部を幅広状に対向させた型枠パネルを固定金具を用いて立設固定してなり」と訂正する。
　訂正事項ｃ　
　特許明細書の段落番号【０００６】の「この型枠パネルを除去することなく布基礎の一部とし断熱保護材として用いてなる」を、
「この型枠パネルを除去することなく布基礎の一部とし断熱保護材として用いるとともに、上記根切り部内の固定金具を除去することなく布基礎の一部として用いてなる」と訂正する。　
　訂正事項ｄ　
　特許明細書の段落番号【０００６】の「住宅要布基礎施工方法」を「住宅用布基礎施工方法」と訂正する。
　訂正事項e
　特許明細書の段落番号【０００８】の「住宅用基礎施工方法」を「住宅用布基礎施工方法」と訂正する。　　　　　        
　訂正事項f
　特許明細書の段落番号【００１２】の「上段垂直部２５同志と下段垂直部２３同志とで」を「上段垂直部２５同士と下段垂直部２３同士とで」と訂正する。
　訂正事項ｇ
　特許明細書の段落番号【００１３】の「立上り鉄筋４１」を「立上り筋４１」と訂正する。
　訂正事項ｈ
　特許明細書の段落番号【００１４】の「上記盛土残土１１」を「上記盛土残土１２」と訂正する。
　訂正事項ｉ
　特許明細書の段落番号【００１６】の「施行の」を「施工の」と訂正する。
　訂正事項ｊ
　特許明細書の段落番号【００１６】の「施行して」を「施工して」と訂正する。
　訂正事項ｋ
　特許明細書の段落番号【００１７】の「型枠パネル２１，２１の内側に」を「型枠パネル２１，２１の外側に」と訂正する。
　訂正事項ｌ
　特許明細書の段落番号【００２０】の【符号の説明】の「４１　立上がり筋」を「４１　立上り筋」と訂正する。
　　
２−２．訂正の要件の適否
　上記訂正事項ａは、特許明細書の特許請求の範囲の請求項１に記載された、「型枠パネルを断熱性を有する発泡性の合成樹脂にて形成し、上記型枠パネルを対状にして下部を幅広状に対向させて根切り部に取付けてなり、上記対向状の型枠パネルを固定金具を用いて立設固定してなり」を、「根切り部にベース筋を取付け、断熱性を有する発泡性の合成樹脂にて形成した型枠パネルのうち一側のみを当該根切り部に取付け、上記ベース筋に立上り筋を取付けた後、他側の型枠パネルを取付けて、下部を幅広状に対向させた型枠パネルを固定金具を用いて立設固定してなり」に、そして「この型枠パネルを除去することなく布基礎の一部とし断熱保護材として用いてなる」を、「この型枠パネルを除去することなく布基礎の一部とし断熱保護材として用いるとともに、上記根切り部内の固定金具を除去することなく布基礎の一部として用いてなる」にそれぞれ訂正するものである。そして上記訂正事項ａは、願書に添付した明細書又は図面に記載した事項の範囲内で特許請求の範囲を減縮する訂正であり、また、実質上特許請求の範囲を拡張し又は変更するものでもない。
　上記訂正事項ｂ及びｃは、特許請求の範囲の請求項１の訂正に伴い、特許請求の範囲の記載と発明の詳細な説明との整合を図るための訂正で、明瞭でない記載の釈明を目的とするものであり、また、願書に添付した明細書又は図面に記載した事項の範囲内の訂正であり、特許請求の範囲を拡張し又は変更するものでもない。
　上記訂正事項ｄ〜ｌは、誤記の訂正を目的とするものであり、また、願書に添付した明細書又は図面に記載した事項の範囲内の訂正であり、特許請求の範囲を拡張し又は変更するものでもない。
　　　　
２−３．独立特許要件  
２−３−１．訂正明細書の請求項１，２に係る発明
　訂正明細書の請求項１，２に係る発明は、その特許請求の範囲の請求項１，２に記載された次のとおりのものである。
「【請求項１】根切り部に型枠を用いて基礎コンクリートを打設する住宅用布基礎施工方法において、
　根切り部にベース筋を取付け、断熱性を有する発泡性の合成樹脂にて形成した型枠パネルのうち一側のみを当該根切り部に取付け、上記ベース筋に立上り筋を取付けた後、他側の型枠パネルを取付けて、下部を幅広状に対向させた型枠パネルを固定金具を用いて立設固定してなり、
　次に上記根切り部内において両型枠パネルの両側に盛土残土を埋戻してこれら対向型枠パネルの下部を埋設させてなり、次いで型枠パネルによって形成された空間部内にコンクリート打設を行い、
　この型枠パネルを除去することなく布基礎の一部とし断熱保護材として用いるとともに、上記根切り部内の固定金具を除去することなく布基礎の一部として用いてなることを特徴とする住宅用布基礎施工方法。　
【請求項２】上記型枠パネルの立設固定後に、この型枠パネルのベース部を残土によって埋設し、この残土を再び掘戻すことなく転圧してなることを特徴とする上記請求項１記載の住宅用布基礎施工方法。」
　　
２−３−２．刊行物の記載事項　
　当審で通知した取消理由において引用した刊行物１である、特開平５−１１２９４９号公報（特許異議申立人鐘淵化学工業株式会社が提出した甲第１号証）には、
『根切部に設置したライナーに捨型枠を対状にして取付け、捨型枠の外側根切部分に土砂を埋戻し、先組した鉄筋篭を対の型枠間に落し込み、前記ライナー上に固定し、次いで、型枠間の空間部内にコンクリートを打設し、この型枠を除去することなく基礎と一体にした布基礎施工方法』
が記載されているものと認める。
　同じく取消理由において引用した刊行物２である、特開昭５３−４６１１０号公報（特許異議申立人鐘淵化学工業株式会社が提出した甲第２号証）には、
『発泡性合成樹脂からなる仮枠を、掘削溝内に対状にして下部を幅広状に対向させて取付け、仮枠を補強材により補強し、仮枠の外側の溝内に埋め戻しを行い、仮枠間にコンクリートを打設し、補強材を取りはずす基礎の成型方法』
が記載されているものと認める。
　　　　
２−３−３．対比・判断
２−３−３−１．訂正明細書の請求項１に係る発明
　訂正明細書の請求項１に係る発明と刊行物１に記載された発明とを対比すると、両者は、
『根切り部に対状に型枠パネルを立設固定し、根切り部内において両型枠パネルの両側に盛土残土を埋め戻して対向型枠パネルの下部を埋設させ、型枠パネル間に鉄筋を配設し、次いで、型枠パネル間の空間部内にコンクリートを打設し、この型枠パネルを除去することなく基礎の一部とした布基礎施工方法』
である点で一致しているが、
　訂正明細書の請求項１に係る発明が下記（１）〜（３）の構成事項を有するのに対して、刊行物１に記載された発明は、そのような構成事項を備えていない点で相違している。
（１）型枠パネルが発泡性の合成樹脂から形成され、下部を幅広状に、固定金具により立設固定されている点。
（２）根切り部に鉄筋及び型枠パネルを設置するにあたり、根切り部にベース筋を取り付け、型枠パネルのうち一側のみを根切り部に取り付け、上記ベース筋に立上り筋を取付けた後、他側の型枠パネルを取付けるような工程手順にした点。
（３）型枠パネル間にコンクリートを打設後、根切り部内の固定金具を除去することなく、布基礎の一部とする点。
　　　　
　相違点について検討すると、
　相違点（１）の構成事項については、刊行物２において、発泡性合成樹脂からなる仮枠（型枠パネル）を、掘削溝（根切り）内に対状にして下部を幅広状に対向させて取付け、仮枠を補強材（固定金具）により補強する点が記載されているが、相違点（２）及び（３）の構成事項については、刊行物２には記載されておらず、示唆もされていない。
　　　　
　そして、訂正明細書の請求項１に係る発明は、上記相違点（２）及び（３）の構成事項を備えることにより、　
「既に建込んだ一側のパネルをガイドとして、容易かつ正確に立上り筋を配筋できる。また、ベース筋を配筋することにより、断面凸形の布基礎の特にベース部分の強度が向上する。さらに、根切り部内の固定金具を除去しないため、再掘削の手間が省ける。」（平成１０年８月１１日付けの特許異議意見書第２頁第２５行〜２８行）という各刊行物に記載された発明からは期待できない効果が奏されるものである。
　したがって、訂正明細書の請求項１に係る発明は、刊行物１，２に記載された発明に基づいて、当業者が容易に発明をすることができたものとすることはできない。
　よって、訂正明細書の請求項１に係る発明は、特許出願の際独立して特許を受けることができるものである。
　　　
２−３−３−２．訂正明細書の請求項２に係る発明
　訂正明細書の請求項２に係る発明は、請求項１に係る発明にさらに他の構成事項を加えたものであるから、訂正後の請求項２に係る発明についても、刊行物１，２に記載された発明に基づいて、当業者が容易に発明をすることができたものとすることはできない。
　よって、訂正明細書の請求項２に係る発明は、特許出願の際独立して特許を受けることができるものである。
　　　
２−４．むすび
　以上のとおりであるから、上記訂正請求は、平成６年法律第１１６号附則第６条第１項の規定によりなお従前の例によるとされる、特許法第１２０条の４第２項及び同条第３項で準用する第１２６条第２項〜第４項の規定に適合し、当該訂正は認められる。
　　　
３．特許異議申立てについて
３−１．特許異議申立ての理由の概要
　特許異議申立人鐘淵化学工業株式会社は、
甲第１号証（特開平５−１１２９４９号）、
甲第２号証（特開昭５３−４６１１０号）及び
甲第３号証（特開昭５７−１４３０６２号）
　　
を提出して、本件請求項１，２に係る発明は、甲第１号証及び甲第２号証並びに甲第３号証に記載された発明に基づいて、当業者が容易に発明をすることができたものであるから、特許法第２９条第２項の規定により特許を受けることができない旨主張している。
　　　　
３−２．特許異議申立ての理由についての判断
３−２−１．本件請求項１，２に係る発明
　本件請求項１，２に係る発明は、訂正明細書の特許請求の範囲の請求項１，２に記載されたとおりのものと認める。（２−３−１．参照）
　　　
３−２−２．甲各号証の記載事項
（１）甲第１，２号証の記載事項は、「２−３−２．」に記載されたとおりである。
（２）甲第３号証の記載事項
『外面側を断熱材により形成された基礎型枠であって、下部を幅広状に対向させて立設し、その間にコンクリートを流し込んで基礎を形成するようにした基礎型枠。』
　　　
３−２−３．対比・判断
　本件請求項１に係る発明と特許異議申立人が提出し、前記取消理由通知において刊行物１，２として引用した甲第１、２号証に記載された発明との対比・判断は上記「２−３−３−１．」でしたとおりであり、その他の甲第３号証に記載された発明においても、上記相違点（２）、（３）の構成事項については、記載も示唆もされていない
　したがって、本件請求項１に係る発明は、甲第１〜３号証に記載された発明に基づいて当業者が容易に発明をすることができたものとすることはできない。
　また、本件請求項２に係る発明は、上記「２−３−３−２．」で述べたのと同様の理由により、甲第１〜３号証に記載された発明に基づいて当業者が容易に発明をすることができたものとすることはできない。
　　　　　
３−３．むすび
　以上のとおりであるから、特許異議申立ての理由及び証拠方法によっては、訂正後の本件請求項１，２に係る発明の特許を取り消すことはできない。
　また、他に訂正後の本件請求項１，２に係る発明の特許を取り消すべき理由を発見しない。
　よって、結論のとおり決定する。
【異議決定日】
平成１２年３月３１日（２０００．３．３１）
【訂正の要旨】
〔訂正の要旨〕
　特許第２５４６７７３号発明の明細書を、本件特許異議申立てに関連してなされた訂正請求書に添付した訂正明細書のとおりに訂正する。
　すなわち、特許請求の範囲の減縮を目的として下記（１）のとおり、明瞭でない記載の釈明を目的として下記（２）〜（３）のとおり、また、誤記の訂正を目的として（４）〜（１２）のとおり訂正する。
（１）特許請求の範囲の請求項１を、
「根切り部に型枠を用いて基礎コンクリートを打設する住宅用布基礎施工方法において、
　根切り部にベース筋を取付け、断熱性を有する発泡性の合成樹脂にて形成した型枠パネルのうち一側のみを当該根切り部に取付け、上記ベース筋に立上り筋を取付けた後、他側の型枠パネルを取付けて、下部を幅広状に対向させた型枠パネルを固定金具を用いて立設固定してなり、
　次に上記根切り部内において両型枠パネルの両側に盛土残土を埋戻してこれら対向型枠パネルの下部を埋設させてなり、次いで型枠パネルによって形成された空間部内にコンクリート打設を行い、
この型枠パネルを除去することなく布基礎の一部とし断熱保護材として用いるとともに、上記根切り部内の固定金具を除去することなく布基礎の一部として用いてなることを特徴とする住宅用布基礎施方法。」と訂正する。
（２）明細書段落番号【０００６】の「型枠パネルを〜立設固定してなり」（本件特許公報３欄２９〜３３行）を、
「根切り部にベース筋を取付け、断熱性を有する発泡性の合成樹脂にて形成した型枠パネルのうち一側のみを当該根切り部に取付け、上記ベース筋に立上り筋を取付けた後、他側の型枠パネルを取付けて、下部を幅広状に対向させた型枠パネルを固定金具を用いて立設固定してなり」と訂正する。
（３）同段落番号【０００６】の「この型枠パネル〜断熱保護材として用いてなる」（同３欄３７〜３８行）を、
「この型枠パネルを除去することなく布基礎の一部とし断熱保護材として用いるとともに、上記根切り部内の固定金具を除去することなく布基礎の一部として用いてなる」と訂正する。
（４）同段落番号【０００６】の「住宅要布基礎施工方法」（同３欄２６〜２７行）を、
「住宅用布基礎施工方法」と訂正する。
（５）同段落番号【０００８】の「住宅用基礎施工方法」（同４欄５行）を、
「住宅用布基礎施工方法」と訂正する。
（６）同段落番号【００１２】の「上段垂直部２５同志と下段垂直部２３同志とで」（同４欄４５行）を、
「上段垂直部２５同士と下段垂直部２３同士とで」と訂正する。
（７）同段落番号【００１３】の「立上り鉄筋４１」（同５欄１６行）を、
「立上り筋４１」と訂正する。
（８）同段落番号【００１４】の「上記盛土残土１１」（同５欄１９行）を、
「上記盛土残土１２」と訂正する。
（９）同段落番号【００１６】の「施行の」（同５欄４１行）を、
「施工の」と訂正する。
（１０）同段落番号【００１６】の「施行して」（同５欄４２行）を、
「施工して」と訂正する。
（１１）同段落番号【００１７】の「型枠パネル２１，２１の内側に」（同６欄４行）を、
「型枠パネル２１，２１の外側に」と訂正する。
（１２）同段落番号【００２０】の【符号の説明】の「４１　立上がり筋」（同８欄８行）を、
「４１　立上り筋」と訂正する。
（５４）【発明の名称】
住宅用布基礎施工方法
（５７）【特許請求の範囲】
　　【請求項１】　根切り部に型枠を用いて基礎コンクリートを打設する住宅用布基礎施工方法において、
　
根切り部にベース筋を取付け、断熱性を有する発泡性の合成樹脂にて形成した型枠パネルのうち一側のみを当該根切り部に取付け、上記ベース筋に立上り筋を取付げた後、他側の型枠パネルを取付けて、下部を幅広状に対向させた型枠パネルを固定金具を用いて立設固定してなり、
　次に上記根切り部内において両型枠パネルの両側に盛土残土を埋戻してこれら対向型枠パネルの下部を埋設させてなり、次いで型枠パネルによって形成された空間部内にコンクリート打設を行い、
　
この型枠パネルを除去することなく布基礎の一部とし断熱保護材として用いるとともに、上記根切り部内の固定金具を除去することなく布基礎の一部として用いてなる
　　【請求項２】　上記型枠パネルの立設固定後に、この型枠パネルのベース部を残土によって埋設し、この残土を再び掘戻すことなく転圧してなることを特徴とする上記請求項１記載の住宅用布基礎施工方法。
【発明の詳細な説明】
　　　【０００１】
　　【産業上の利用分野】
　本発明は、一般住宅における基礎工事において、宅地に形成された根切りの内部に型枠を用いて基礎コンクリートを打設する住宅用布基礎施工方法に関する。
　　　【０００２】
　　【従来の技術】
　従来の住宅用布基礎施工方法は、宅地に根切りして形成された根切り溝に、金属のパネルや板材等を用いて断面が略長方形の型枠を設置すると共に、この型枠の内部にコンクリートを打設し、コンクリートの乾燥後に型枠を取外すことにより布基礎を形成していた。また、根切り溝を形成する際に発生した残土は、コンクリート打設等の作業の障害となるため、他の場所へ運んで処分していた。
　　　【０００３】
　また、この布基礎の強度を向上させるために断面形状を凸形状とした、上下二段よりなる布基礎の施工方法においては、まず、この布基礎のうちの下段を上記したような施工方法で形成した後、この下段の上面に再び型枠を設置して同様の方法で上段を形成することにより、全体として凸断面形状の布基礎を形成していた。
　　　【０００４】
　　【発明が解決しようとする課題】
　しかしながらこのような従来の住宅用布基礎施工方法においては、型枠の内部に打設したコンクリートの乾燥を待って次工程へ進む必要があるため、工期が非常に長くなり、施工コストがかさむという欠点や、コンクリート乾燥後に型枠を取外すため手間がかかるという欠点があった。
　また、根切りの際に発生した残土を他の場所へ運んで処分するため手間がかかるという欠点があった。
　　　【０００５】
　断面形状を凸形状とした布基礎の施工方法においては、下段のコンクリートの乾燥後に上段のコンクリートを打設するという二段階の工程を必要とすると共に、これら下段と上段との間の付着性が懸念されるという欠点があった。
　　　【０００６】
　　【課題を解決するための手段】
　本発明は、従来の
住宅用布基礎施工方法
根切り部にベース筋を取付け、断熱性を有する発泡性の合成樹脂にて形成した型枠パネルのうち一側のみを当該根切り部に取付け、上記ベース筋に立上り筋を取付けた後、他側の型枠パネルを取付けて、下部を幅広状に対向させた型枠パネルを固定金具を用いて立設固定してなり、
この型枠パネルを除去することなく布基礎の一部とし断熱保護材として用いるとともに、上記根切り部内の固定金具を除去することなく布基礎の一部として用いてなる
　また請求項２に記載の本発明は、請求項１に記載の本発明において、上記型枠パネルの立設固定後に、この型枠パネルのベース部を残土によって埋設し、この残土を再び掘戻すことなく転圧してなることを特徴として構成されている。
　　　【０００７】
　　【実施例】
　以下、本発明の一実施例について各図面を参照して説明する。
　図１は本発明の住宅用布基礎施工方法による布基礎の要部斜視図、図２はこの布基礎の使用状態における縦断面図、図３は布基礎のコンクリート打設前の縦断面図、図４は布基礎のコンクリート打設後の縦断面図である。
　上記各図において、１０は根切り部、１５はステコン、２０は型枠、２１は型枠パネル、３０は固定金具、４０はベース筋をそれぞれ示す。
　　　【０００８】
　各図において本発明は、一般住宅の宅地に形成された根切り部１０に型枠２０を用いて基礎コンクリートを打設する
住宅用布基礎施工方法
　そこでまず、宅地を略一定の深さで連続的に掘ることにより根切り部１０を形成する。
　一方、型枠パネル２１，２１を、発泡性の主として硬質の合成樹脂にて形成すると共に、下段垂直部２３と中段傾斜部２４と上段垂直部２５とからなる屈曲板にて構成する。この型枠パネル２１，２１を、対状にして下部を幅広状に対向させて上記根切り部１０に取付けると共に、固定金具３０を用いて立設固定する。
　次に、上記根切り部１０内において、両型枠パネル２１，２１の両側に盛土残土１２を埋戻してこれら対向型枠パネル２１，２１の下部を埋設させる。
　次いで型枠パネル２１，２１によって形成された空間部にコンクリート打設を行うことにより、この型枠２０を布基礎の一部としている。
　　　【０００９】
　この根切り部１０の凹形状の根切り溝１１の底面上には、この根切り部１０を掘る際に発生する盛土残土１２の一部と地盤改良材と水とを撹拌してなるステコン１５が略一定の高さで連続的に打設されている。
　盛土残土１２の残りの部分は、上記根切り部１０の両脇に一時的に盛られている。
　　　【００１０】
　上記ステコン１５の上部には、直線形状よりなる型枠２０が連続的に取付けられており、この型枠２０は一対の型枠パネル２１，２１と固定金具３０ａ，３０ｂとを基礎要素として構成されている。
　この型枠パネル２１，２１は発泡性の合成樹脂（ポリウレタン、ポリスチロール等）で形成され、下段垂直部２３と上段垂直部２５とこれらを連続的に結合させてなる中段傾斜部２４とからなる屈曲板にて構成されている。
　　　【００１１】
　この型枠パネル２１，２１は、上記したように上記根切り部１０に取付けられており、具体的には、上記型枠パネル２１の下段垂直部２３の下端の略全面に横張出し状の裾部２６が形成され、この裾部２６の複数箇所において、この裾部２６から上記根切り部１０のステコン１５に対して釘３３が打たれて、上記型枠２０の固定がなされている。
　この裾部２６は、上記した下段垂直部２３の下端の特定箇所にのみ設けられてもよい。
　　　【００１２】
　また、この型枠パネル２１，２１は上記したように固定金具３０ａ，３０ｂにより立設固定されており、具体的には対向型枠２０の型枠パネル２１，２１の
上段垂直部２５同士と下段垂直部２３同士とで
　この固定金具３０には、一対のピーコン３１，３１が一定の間隔で固定されており、このピーコン３１，３１を間に挟んで上記型枠パネル２１，２１が取付けられて、その外側よりプラネジ３２で締付けられることによって、上記型枠パネル２１，２１の相互が一定間隔で型枠固定されている。
　このピーコン３１，３１は、通常のボルトとナットを組合せて用いてもよく、すなわち、上記型枠パネル２１，２１を一定間隔で固定するものであればよい。
　また、この型枠パネル２１，２１が長距離に亘って設置される場合には、図１に示すように、この型枠パネル２１，２１の側面に補助パイプ３４を隣接させて、パイプ固定金具３５で締付けることにより、側面強度を向上させる。
　この補助パイプ３４は、後述するように、上記型枠パネル２１，２１の内部の空間部２８にコンクリートが打設され、乾燥した後に取外される。
　　　【００１３】
　この型枠パネル２１，２１の内部で上記ステコン１５の上面の複数箇所には置石４３が設けられ、この置石４３の上面には略水平面状で格子形状にベース筋４０が取付けられている。
　またこのベース筋４０には、略垂直状の
立上り筋４１
　　　【００１４】
　次に、図３に示すように、上記型枠２０が固定された根切り部１０は、上記型枠２０の両型枠パネル２１，２１の両外側に、
上記盛土残土１２
　　　【００１５】
　図４に示すように、上記型枠パネル２１，２１の内部に形成された空間部２８には、コンクリートが打設され、上記型枠パネル２１，２１や上記固定金具３０により構成された型枠２０は、断熱性を有する被覆材として布基礎の一部とされて、コンクリート表面の中性化の保護を図ると共に、上記型枠パネル２１，２１を取外すことなく、容易に布基礎が施設されている。
　　　【００１６】
　上記した直線部における構造の他、角部における概略構造を図５を用いて説明する。角部においては、上記型枠パネル２１，２１を略直角形状に屈曲された形状よりなるコーナー型枠パネル２７，２７が用いられる。図５には、一対のコーナー型枠パネル２７，２７の外側の下段垂直部と鉄筋部分が示されている。
　このコーナー型枠パネル２７は、このコーナー型枠パネルの形状に適応して略直角形状とされたコーナー鉄筋４２をこの角部の内側に取付けられることにより、強度の向上がなされている。
　図５においては内側パネルを省略したが、このコーナー型枠パネル２７の上部には上記型枠パネル２１と同様に中段傾斜部と上段垂直部とが形成されると共に、この内側には
施工の
施工して
　　　【００１７】
　上記説明した横造による本実施例の施工方法について以下説明する。
　まず根切り部１０に設けられたステコン１５の上面に墨出しを行い、この墨に合わせて置石４３を配置し、ベース筋４０を取付ける。
　次に型枠パネル２１の外側のみを配置し、釘３３により上記ステコン１５に固定する。
　上記ベース筋４０に立上り筋４１を取付け、上記型枠パネル２１の下段垂直部２３と上段垂直部２５とに固定金具３０ａ，３０ｂの片端を取付けた後、型枠パネル２１の内側を配置し、釘３３により上記ステコン１５に固定する。この型枠パネル２１が長距離に亘る場合には、補助パイプ３４にて補強する。
　次に、型枠パネル２１，２１の
外側に
　この型枠パネル２１，２１の上端部の高さのうち、最も低い部分に合わせた高さで、この型枠パネル２１，２１の側面に墨出しをし、この墨に合わせて、型枠パネル２１，２１の上端部を切り揃えることにより、この上端を面一状に容易に高さレベル調整する。
　次にこの型枠パネル２１，２１の空間部２８内にコンクリートを打設することにより、この型枠パネル２１，２１と一体となった布基礎が施設される。この型枠パネル２１，２１の下段垂直部２３と上段垂直部２５とが中段傾斜部２４によりゆるやかな傾斜をもって結合されているため、このコンクリートの打設は、内部に空気を溜めることなく容易に行なわれる。
　上記補助パイプ３４は、コンクリート打設後に取外される。
　　　【００１８】
　　【発明の効果】
　本発明の住宅用布基礎施工方法は上記したように、型枠パネルによって形成された空間部内にコンクリート打設を行い、この型枠パネルを除去することなく布基礎の一部とし断熱保護材として用いてなることにより、コンクリートの乾燥を待つことなく次工程の作業が行え、型枠を取外す手間が完全に省けるので、工期が大幅に短縮でき、施工コストが削減できるという効果がある。
　また型枠パネルを断熱性を有する発泡性の合成樹脂にて形成し、この型枠パネルを除去することなく断熱保護材として用いてなることにより、この型枠パネルによって布基礎の断熱性が保たれ、新たに断熱保護材を設ける必要がなく施工が容易である。また型枠パネルによって、コンクリートの中性化が防止される。
　　　【００１９】
　しかも、型枠パネルのベース部を残土によって埋設することにより、盛土残土の略全部が処分できるため、この盛土残土を他の場所に運んで処分する手間が省けるという効果がある。
　特に、埋設した残土を再び掘戻すことなく転圧してなることにより、盛土を恒久的なものとでき、一旦埋戻した盛土を型枠パネルを除去する等のために再度掘出す必要もない。
【図面の簡単な説明】
　　【図１】
　本発明の住宅用布基礎施工方法による布基礎の要部斜視図である。
　　【図２】
　布基礎の使用状態における縦断面図である。
　　【図３】
　布基礎のコンクリート打設前の縦断面図である。
　　【図４】
　布基礎のコンクリート打設後の縦断面図である。
　　【図５】
　布基礎の角部の使用状態における要部斜視図である。
　　【符号の説明】
　１０　根切り部
　１１　根切り溝
　１２　盛土残土
　１５　ステコン
　２０　型枠
　２１　型枠パネル
　２３　下段垂直部
　２４　中段傾斜部
　２５　上段垂直部
　２６　裾部
　２７　コーナー型枠パネル
　３０　固定金具
　３１　ピーコン
　３３　釘
　４０　ベース筋
　
４１　立上り筋